(57)【要約】【課題】場所を限定せず、周囲に波、風、および騒音を発することなく触れても安全な、推進装置。【解決手段】円周上の全方向に発生する遠心力を一方向だけ磁力の反発力で押し戻し、推進力に変換する装置。【選択図】図１
2018046731.tif 000002
【特許請求の範囲】
【請求項１】
電磁石の磁力に反発する重石とその重石を自由体とし直線往復運動させるガイドレールと重石に反発する磁力を生成する電磁石からなり電磁石を外側になる様にした形で回転させ、遠心力により電磁石側に押し出される重石を円運動の定位置で電磁石に電流を流して生成した磁力の反発力で押し返し推進力として取り出す遠心力推進機関。
【発明の詳細な説明】
【技術分野】
【０００１】本発明は、物体の推進力に関するものである。
【背景技術】
【０００２】従来の物体の推進力はタイヤ、プロペラ、スクリュー、翼、および、噴射によるものであり、陸上、水中、水上、空中と活動範囲が限られる。また、動作する際、波、風、および、騒音を発することが多く、近づくと危険である。
【発明の概要】
【発明が解決しようとする課題】
【０００３】場所を限定せず、波、風を発せず、音も静かで、触れても安全な推進力を提供する。
【課題を解決するための手段】
【０００４】本発明は、物体が回転する際に発生する遠心力を円周上の一定方向のみ取り出し推進力とするものである。
【発明の効果】
【０００５】本発明の遠心力推進機関は、場所を限定せず、周囲に波、風、および騒音を発せずに、触れても安全な、人や物品を運搬できる推進力を発生するものである。
【図面の簡単な説明】
【０００６】
【図１】  三連構成回転体の構造図である。
【図２】  制御信号生成部品の説明図である。
【図３】  推進力生成部品の説明図である。
【図４】  推進力抽出の説明図１である。
【図５】  推進力抽出の説明図２である。
【図６】  三連構成制御信号生成部品の説明図である。
【図７】  三連構成推進力生成部品の説明図である。
【図８】  電力生成部品の説明図である。
【図９】  操作・外部制御の説明図である。（実施例１）
【図１０】  光センサーを用いた回転位置検出方式の説明図である。（実施例２）
【発明を実施するための形態】
【０００７】本発明は本発明内部の回転体を回転させ、推進力を得るものである。
【実施例１】
【０００８】図１は、本発明装置の回転体の構造を示すものである。回転体は制御信号生成部品（図２）、推進力生成部品（図３）、および電力生成部品（図８）で構成される。各部品は電気回路の配線で接続され、一体と成って回転する。【０００９】図２は、本発明装置の回転体の制御信号生成部品であり非回転体の外部磁力１１による、ひとつの磁界内を回転体が回転する際の誘導電流を誘導コイル（回転位置検出用）１で抽出する。誘導電流は１回転、１サイクルの単相交流である。これは円運動の定位置を特定するために用いる。この単相交流は交流（ＡＣ）結合回路プリント基板６を通し、変圧直流である制御信号とし、電流増幅回路プリント基板７に送られ増幅した強電流は電磁石４の磁力を発生させる。【００１０】図３は、本発明装置の回転体の推進力生成部品であり電磁石４と重石（永久磁石）２とガイドレール３で構成される。重石（永久磁石）２は固定されていない自由体でありガイドレール３に沿って直線往復運動する構造と成っている。回転体が回転している時、重石（永久磁石）２は遠心力で外側の電磁石４側へ押し出される。【００１１】図４は、本発明装置の推進力抽出の説明図１であり、回転体の推進力生成部品を回転させた場合の重石（永久磁石）２の円運動を表現したものである。推進力生成部品の電磁石４に電流を流さない場合、重石（永久磁石）２は等速円運動の軌跡１２をたどり全方向で均一な遠心力を受ける。しかし、電磁石４に電流増幅回路プリント基板７で生成した制御信号の増幅電流を流すと、円周の定位置で電磁石４の反発力により重石（永久磁石）２が円運動の中心方向に押し戻され、非等速円運動の軌跡１３をたどることになる。【００１２】図５は、本発明装置の推進力抽出の説明図２であり、図４の説明での遠心力を回転数を上げることにより強くし、重石（永久磁石）２が円運動の中心方向へ押し戻されない様にし、等速円運動を保持する場合を表現している。この場合、電磁石４が円運動の外方向へ押し出される。遠心力が支点、磁力の反発力が力点、本発明装置の推進力が作用点となり、推進力が抽出できる。【００１３】図６は、本発明の実現方法である。実現方法は図２、図３に示す部品を１ユニットとし、図１の３ユニット構成を例とした場合、３ユニットのそれぞれの誘導電流の波形である。この制御信号はそれぞれ、別々の単相交流である。これを交流（ＡＣ）結合回路プリント基板６のユニット毎の交流（ＡＣ）結合回路に通し、変圧直流である制御信号として電流増幅回路プリント基板７の対応ユニット電流増幅回路の入力とする。【００１４】何個のユニットにするかは任意である。【００１５】図７は、３ユニット構成時の推進力生成部品である。個数、角度を制御信号生成部品の誘導コイル１のそれに合わせる必要がある。図７は３ユニットで位相１２０°である。重石（永久磁石）２は高速で直線往復運動するので保護カバー９で保護している。保護カバー９と電磁石４の底面は接合して一体となっており、回転体の一部である。【００１６】図８は、本発明装置の回転体の電力生成部品であり多数の電磁誘導コイル（発電用）５で構成されている。本部品は回転体を回転させる外部動力１８からの運動エネルギーを交流発電で電気���ネルギーに変換する。なお、外部磁力（発電用）１４は回転しない非回転体である。【００１７】発電した電流は一旦、整流回路プリント基板８で定電圧直流とした後、電流増幅回路プリント基板７により制御信号を増幅した変電圧直流となり、それぞれのユニットの推進力生成部品の電磁石４に送られ、円運動の同じ定位置で重石（永久磁石）２に反発する磁力を発生する。【００１８】設置する円盤１５や電磁誘導コイル（発電用）５は十分な電力が得られない場合は増設できる。【００１９】図９は、本発明の操作・外部制御の説明図である。（実施例１）推進力の操作部品１６と電力の制御部品１７は非回転体である。回転体と非回転体はボールベアリングで結合される。推進力の操作部品１６は制御信号生成部品（図２）の誘導コイル（回転位置検出用）１の外部磁界の方向と強弱を変更するもので制御信号の基準位相と振幅を制御できる。これは推進力の方向と強弱を操作することである。【００２０】推進力の操作部品１６による磁界の向きはハンドルの役目をし、コイルの電流量はアクセルの役目をする。【００２１】電力の制御部品１７は外部磁力の強弱を操作することで発電能力を制御することができ、反発力を制御する。外部動力１８による回転数を操作することで遠心力の強弱を制御する。
【実施例２】
【００２２】図１０は、光センサー１９を用いた回転位置検出方式の説明図である。（実施例２）本発明装置の回転体の推進力生成部品毎に光センサー１９を設け、円運動の定位置外部に非回転体である光源２０を設置して、推進力生成部品毎の光センサー１９が光を検知すると電磁石４に電流を通し磁力の反発力で電磁石を円運動の外側へ押し出し、本発明装置の推進力として取り出すものである。この場合、光源２０の位置がハンドル、光量がアクセルの役目となる。
【産業上の利用可能性】
【００２３】場所を限定しない推進装置。
【符号の説明】
【００２４】１  誘導コイル（回転位置検出用）
２  重石（永久磁石）
３  ガイドレール
４  電磁石
５  電磁誘導コイル（発電用）
６  交流（ＡＣ）結合回路プリント基板
７  電流増幅回路プリント基板
８  整流回路プリント基板
９  保護カバー
１０  外部電動モーター
１１  外部磁力
１２  等速円運動の軌跡
１３  非等速円運動の軌跡
１４  外部磁力（発電用）
１５  円盤
１６  推進力の操作部品
１７  電力の制御部品
１８  外部動力
１９  光センサー
２０  光源
【図１】
2018046731.tif 000003
【図２】
2018046731.tif 000004
【図３】
2018046731.tif 000005
【図４】
2018046731.tif 000006
【図５】
2018046731.tif 000007
【図６】
2018046731.tif 000008
【図７】
2018046731.tif 000009
【図８】
2018046731.tif 000010
【図９】
2018046731.tif 000011
【図１０】
2018046731.tif 000012